(57)【要約】パケット交換（１１２、１１４）をするように改良されたＴＤＭクロスコネクト交換機（１２４）のアーキテクチャおよび方法。特に、既存のＴＤＭスイッチ（１００）に少なくとも二つのパケット交換ラインカード（１０２）を組み込んで、既存インフラのＴＤＭクロスコネクト（１２４）を利用してフィルタリング、整形、監視、転送およびスケジューリングを含むすべてのパケット処理タスクを行う方法およびアーキテクチャ。
2005520375.tif 000002
【特許請求の範囲】
【請求項１】
ＴＤＭおよびパケット交換を組み合わせて行うシステムで、
ａ．ＴＤＭタスクを行うようにされたＴＤＭスイッチングマトリックスを含む改良ＴＤＭクロスコネクト交換機と、
ｂ．前記改良ＴＤＭ交換機に組み込まれ前記ＴＤＭスイッチングマトリックスに接続された少なくとも二つのパケット交換ラインカードとから成り、
前記少なくとも二つのパケット交換ラインカードを前記改良ＴＤＭ交換機に組み込むことによりＴＤＭおよびパケット交換を組み合わせて行う機能が与えられることを特徴とするシステム。
【請求項２】
前記少なくとも二つのパケット交換ラインカードの前記ＴＤＭスイッチングラインカードとの接続により、少なくとも一つのＴＤＭ回線が前記少なくとも二つのパケット交換ラインカードのそれぞれの間で形成される請求項１記載のシステム。
【請求項３】
ＴＤＭクロスコネクト交換機においてパケット交換を行うための方法で、
i．ＴＤＭスイッチングマトリックスと複数のパケット交換ラインカードを含む改良ＴＤＭ交換機を設けるステップと、ここで前記複数のパケット交換ラインカードそれぞれはそれぞれの信号伝送速度を持つ複数のポートを有するステップと、
ii．前記ＴＤＭスイッチングマトリックスを通じて前記複数のパケットスイッチングカードのそれぞれの対の間に複数のＴＤＭ回線を形成するステップと、
iii．前記回線を使ってＴＤＭクロスコネクトを通じてパケットを交換するステップ
とから成ることを特徴とするパケット交換方法。
【請求項４】
前記回線を使って前記改良ＴＤＭクロスコネクトを通じてパケットを交換する前記ステップは、
i．前記パケット交換ラインカードの最初のカードで少なくとも一つのパケットを受信するサブステップと、
ii．前記少なくとも一つのパケットを前記複数のＴＤＭ回線の一つを介して前記パケット交換ラインカードの二番目のカードに送ることを決定するサブステップと、
iii．前記二番目のパケットスイッチングカードから前記少なくとも一つのパケットを取り出すサブステップ
とから成ることを特徴とするパケット交換方法。
【請求項５】
前記決定サブステップは前記複数のＴＤＭ回線の信号伝送速度を前記一番目および二番目のパケットラインカードの夫々のすべてのポートの総合信号伝送速度以上に選ぶことを含む請求項４に記載の方法。
【請求項６】
パケットネットワークを介してのＴＤＭ信号の伝送をエミュレイトする方法で、
ａ．ＴＤＭスイッチマトリックスと、少なくとも一つのＴＤＭラインカードと複数のポートを有する少なくとも一つのパケット交換ラインカードを含む改良ＴＤＭ交換機を設けるステップと、
ｂ．前記改良ＴＤＭ交換機を使ってパケットネットワークを介して伝送されたＴＤＭ信号をパケット化および脱パケット化するステップ
を含むことを特徴とするエミュレイト方法。
【請求項７】
更に前記ＴＤＭスイッチマトリックスを通じて複数のＴＤＭ回線を形成してＴＤＭマトリックス回線を設けるステップを含む請求項６に記載の方法。
【請求項８】
ＴＤＭ信号をパケット化および脱パケット化するステップは、
i．前記少なくとも一つのＴＤＭラインカードと前記少なくとも一つのパケット交換ラインカードの間に少なくとも一つのＴＤＭ回線を設定するサブステップと、
ii．ＴＤＭ信号を前記少なくとも一つのパケット交換ラインカードにおいてパケット化するサブステップと、
iii．前記パケット化したＴＤＭ信号を前記パケットラインカードを通じて伝送するサブステップと、
iv．ＴＤＭ信号を前記少なくとも一つのパケット交換ラインカードにおいて脱パケット化するサブステップと、
v．ＴＤＭ信号を前記形成されたＴＤＭ回線上に送出するサブステップとを含む請求項７に記載の方法。
【発明の詳細な説明】
【技術分野】
【０００１】
本発明はパケット交換を行うためＴＤＭクロスコネクト交換機の機能を拡張するアーキテクチャと、このアーキテクチャを使って総合ＴＤＭ・パケット交換タスクを行うシステムに関する。
【背景技術】
【０００２】
[関連出願との関係]
本出願は２００１年７月６日提出の米国仮出願第60/303,069号に基づく優先権の利益を与えられているものである。
【０００３】
パケット交換と時分割多重（ＴＤＭ）回線交換は通信分野の異なる領域で用いられている二つの技術方式である。コンピュータネットワークでは送信側から受信側にパケットを送ることで通信を行っている。中間のネットワーク装置は個々のパケット内の属性を調べてそれぞれのパケット交換を行う。インターネットはＩＰ（Internet Protocol：インターネットプロトコル）ルータと呼ばれるパケットスイッチから構成され、そのルータは各パケット内のＩＰアドレス属性にもとづいて転送ルートを決定する。コンピュータ通信では、通常各通信回線上を多数の統計的多重化パケットストリームが通信可能な送信側から送られてきている。パケット交換機はポートとも呼ばれている各通信インターフェイスから一連のパケットを受け取り、これらのパケットを転送する出側ポートを決定するルックアップ操作を行い、決定した出側ポートからパケットを送り出す。パケット交換機は各パケットの属性について或る種の操作を行う。出側ポートを介して送出するパケットの伝送速度がそのポートの速度より大きい場合には送出するパケット数を減らしたりする。パケット交換機は、送出するパケットが急増してもそれらの幾つかを送出前に待ち行列に入れて一時的なパケットの急増に耐えることが出来る。パケット交換機は、パケットストリームを特定の伝送速度にしたり、ある特定の規則に従ってパケットを待ち行列に入れたり、スケジューリングを行ったりなどの補足的なパケット処理タスクを行う。高速パケット交換機用のアーキテクチャは、図１に示すように通常多数のラインカードと、交換機構と、セントラルカードとから構成される。
【０００４】
図１は一般的に用いられているパケット交換機のアーキテクチャ１０を示す。パケット交換機１０は、ラインインターフェイス、即ちポート（図示せず）を有する複数のラインカード１２（この例では四つのカードａ−ｄ）と、少なくとも一つのセントラルカード１４と、少なくとも一つの交換機構１６を含む。各ラインカードはそのラインインターフェイス（ポート）を介してパケットを受け取り、そして送り出す。転送ルートは当該パケットを受け取ったラインカードで決定され、パケットは（同じあるいは他の）ラインカードに属する最終あて先ポートに交換機構を介して送られる。交換機構１６は色々な様式で実現できるが、現在の高速パケット交換機では入側から出側ラインカードポートへ固定サイズのパケット要素を搬送する機構を用いている。各ラインカードは転送しようとするパケットを細分化し、交換機構に細分化したパケット要素を出側（「出口」）ラインカードとポートに転送するよう指示する。セントラルカード１４は、交換機の転送テーブルを調べるルーティングプロトコルの実行やルート形成管理などを含む追加タスクを行うのに使用する。ある種の交換機ではセントラルカード及び／或いは交換機構を二つ以上組み込んで冗長性を確保している。
【０００５】
現在主流の時分割多重伝送技術はＳＯＮＥＴ／ＳＤＨである。ＳＯＮＥＴ（同期式光ファイバー網）はベルコア（Bellcore）が開発し、光ファイバーを介して動くようにした高速同期網である。ＳＤＨ（同期ディジタルハイアラーキ）はＳＯＮＥＴ標準の国際版である。ＳＯＮＥＴとＳＤＨ仕様の差異は小さい。ＳＯＮＥＴ/ＳＤＨに関する参考資料のリストとこのＴＤＭの十分な説明が米国国家規格協会(American National Standards Institute's)の"Synchronous Optical Network (SONET) - Basic Description including Multiplex Structure, Rates and Formats," ANSI T1.105-1995と、国際電気通信連合勧告Ｇ．707(ITU Recommendation G.707)の "Network Node Interface For The Synchronous Digital Hierarchy," 1996と、テルコーディアテクノロジーズ(Telcordia Technologies)の"Synchronous Optical Network (SONET) Transport Systems: Common Generic Criteria," GR-253-CORE, Issue 3, November 2000とに見られる。
【０００６】
ＳＯＮＥＴ／ＳＤＨ信号は電話、ビデオおよびデータを搬送する多数の多重化された信号からなる。ＳＯＮＥＴ／ＳＤＨはバイト多重化技術である。例えば、三つの多重化信号を搬送するＳＯＮＥＴ／ＳＤＨ信号のバイトストリームはそれぞれ異なる回線に属する三つのバイトからなるバイトトリプレットの一連の繰り返しからなる。回線は二つのエッジノードの間、例えば、二つの電話局の間に設定される。信号はＴＤＭ  ＳＯＮＥＴ／ＳＤＨハイアラーキに多重化され、多数のＴＤＭ交換機を介して最終の宛先に伝送される。ＴＤＭ交換機は異なる入側インターフェイスからのＴＤＭ信号を相互に切換えて出側インターフェイスに送る。ＴＤＭ交換機構（スイッチングマトリックスとも呼ばれる）は入側と出側回線間のマッピングで決定されるが、帯域外のものとして構成されＴＤＭ信号自体の属性には基づかない。
動作中は、ラインカードはＴＤＭ信号を受け取り、そのＴＤＭ信号を交換機構がＴＤＭ多重化の先頭を認識できるように整列（例えば、三つの多重化信号のバイトトリプレットをＴＤＭ信号がトリプレットの最初のバイトで始まるように整列）し、バイトストリームを交換機構に送る。スイッチングマトリックスは入力バイトをポート間で切換える。例えば、スイッチングマトリックスは各入力バイトトリプレットの最初のものを或る一つのラインカードに送り、各トリプレットの他の二つのバイトを別のラインカードに送る。任意のラインカードに送られたバイトストリームはそのラインカードの出側ポートを介して送り出される。交換機構マトリックスはセントラルカードにより制御され形造られる。スイッチングは通常は静的で、回線交換形態の変更は少ない。信号は統計的多重化の処理を受けない。
【発明の開示】
【発明が解決しようとする課題】
【０００７】
コンピュータ通信の成功によりデータパケット伝送の需要が増えたが、ＴＤＭ伝送および交換の需要は同じようには伸びていない。このため、ＴＤＭ販売業者は、彼らのＴＤＭをベースにした機器でパケット交換を行う方法を見つけようとしている。ＴＤＭとパケット交換機を比較してみるとこれらの技術は全く異なることが分かる。問題は、システム全体を再設計することなくＴＤＭ交換機にパケット交換機能を付与することである。必要とされる方策はＴＤＭ交換機の既存の構成要素を変更してはならず、既存のＴＤＭラインカードとパケット交換機能を実行する新しいカードとを組み合わせることである。最もわかり易い方法は並行パケット交換システムにそれ自体のパケット交換機構を附加することである。しかし、新しい交換機構を追加する費用とその複雑さ及び二つの交換機の維持とがこの方法の実施を不可能にしている。ＴＤＭ交換機の中心は交換機構とそれがラインカードとどのように接続されるかである。如何なる方法であってもこの交換技術インフラを再利用しなければならない。
このように、既存のＴＤＭ交換技術インフラをその既存の構成要素を変えることなく用いる総合ＴＤＭ・パケット交換システム及び方法の必要が広く認識されており、そのようなシステム及び方法があれば非常に便利である。
【課題を解決するための手段】
【０００８】
本発明によれば、総合ＴＤＭ・パケット交換システムは、ＴＤＭタスクを行うようにされたＴＤＭスイッチングマトリックスを含む改良ＴＤＭクロスコネクト交換機と、前記改良ＴＤＭ交換機に組み込まれＴＤＭスイッチングマトリックスに接続された少なくとも二つのパケット交換ラインカードとを含み、前記少なくとも二つのパケット交換ラインカードを前記改良ＴＤＭ交換機に組み込むことによりシステムに総合ＴＤＭ・パケット交換機能が与えられる。
本発明の実施例によれば、ＴＤＭクロスコネクト交換機でパケット交換を行う方法は、ＴＤＭスイッチングマトリックスと複数のパケット交換ラインカードを含む改良ＴＤＭ交換機を備えるステップと、前記パケットスイッチングカードの夫々は信号伝送速度が異なる第１の複数のポートを有しており、前記ＴＤＭスイッチングマトリックスを介してパケットラインカードの各対間に複数のＴＤＭ回線を形成するステップと、前記回線を用いて前記ＴＤＭクロススイッチを介してパケットを交換するステップとからなる。
本発明の方法の一つの特徴によれば、前記回線を用いて前記ＴＤＭクロススイッチを介してパケットを交換するステップは一つのパケットスイッチングカード上で少なくとも一つのパケットを受け取るステップと、前記複数のＴＤＭ回線上で少なくとも一つのパケットを第２のパケットスイッチングカードに送ることを決定するステップと、前記第２のパケットスイッチングカードから少なくとも一つのパケットを取り出すステップとを含む。
【０００９】
本発明の実施例によれば、パケットネットワークを介してＴＤＭ伝送をエミュレイトする方法は、ＴＤＭスイッチングマトリックスと少なくとも一つのＴＤＭラインカードと複数のポートを有する少なくとも一つのパケット交換ラインカードとを含む改良ＴＤＭ交換機を備えるステップと、前記パケットラインカードで前記パケットネットワークを介して伝送されたＴＤＭ信号を前記改良ＴＤＭ交換機を用いてパケット化、脱パケット化を行うステップを含む。
本発明の方法の一つの特徴によれば、更にＴＤＭスイッチングマトリックス全体にわたって複数のＴＤＭ回線を形成してＴＤＭマトリックス回線を設定するステップを含む。
本発明の方法のもう一つの特徴によれば、前記ＴＤＭ信号をパケット化、脱パケット化するステップは前記少なくとも一つのＴＤＭラインカードと前記少なくとも一つのパケット交換ラインカードの一つとの間に少なくとも一つのＴＤＭ回線を設定するステップと、前記少なくとも一つのパケット交換ラインカードにおいてＴＤＭ信号をパケット化するステップと、そのパケット化したＴＤＭ信号をパケットラインカードのポートを介して伝送するステップと、少なくとも一つのパケット交換ラインカードの一つでそのＴＤＭ信号をパケットから外すステップと、そのＴＤＭ信号を前記ＴＤＭマットリックス回線上に送出するステップを含む。
【発明を実施するための最良の形態】
【００１０】
本発明はパケット交換を行うためＴＤＭクロスコネクト交換機の機能を拡張するアーキテクチャと、このアーキテクチャを使って総合ＴＤＭ・パケット交換タスクを行う方法に関する。構造的な方策は、パケット交換決定を行える複数の「パケット交換ラインカード」をＴＤＭクロスコネクト交換機に付け加えるのが好ましく、また既存のＴＤＭスイッチングマトリックスを用いてこれらのパケットスイッチングカード間に接続回線を形成することである。ＴＤＭマトリックスは各対のパケット交換ラインカード間の回線で予め形成される。入側パケットラインカードは転送決定を行い、転送ルート探索結果に基づいて各パケットを他のパケットラインカードに接続された回線を介して送る。出側パケットラインカードはＴＤＭ交換機構からパケットを取り出し、それらをパケットインターフェイスを介して転送する。この方法を最もよく理解するには外部パケット交換機を「パケットラインカード」として統合し、またその外部パケット交換機のセントラルカードを共通の制御として機能する単一のセントラルカードに統一するものとして考えればよい。
図２は、ＴＤＭクロスコネクト交換機３４を介して相互接続したそれぞれ図１に示したものと同じ三つのパケット交換機３２（ａ、ｂ、ｃ）を含むネットワーク３０を示す。各パケット交換機は四つのインターフェイス、即ち、「ポート」を持っている。パケット交換機３２ａは四つのポート４０、４２、４４及び４６を有し、パケット交換機３２ｂは四つのポート５０、５２、５４及び５６を有し、パケット交換機３２ｃは四つのポート６０、６２、６４及び６６を有している。各交換機はその四つのポート間でパケットを切換える。例えば、交換機３２ａはそのポート４０、４２、４４及び４６間でパケットを切換える。図２に示す各パケット交換機は図１に示すアーキテクチャを用いて構成する。即ち、各交換機は一般的に複数のラインカードと、少なくとも一つのセントラルカードと、少なくとも一つの交換機構と、更に必要に応じて図示していないその他の素子と機能を有する。各パケット交換機の四つのポートはその交換機の別々のラインカードに夫々配置してもよい。多重化されたＴＤＭ信号は夫々各パケット交換機３２ａ、３２ｂ及び３２ｃとＴＤＭ交換機３４との間を流れる。
【００１１】
ＴＤＭ回線が三つのパケット交換機の夫々の間に形成される。即ち、ａとｂとの間に回線８０が、ｂとｃとの間に回線８２が、ｃとａとの間に回線８４が形成される。ＴＤＭクロスコネクト交換機３４（「ＴＤＭ交換機３４」と略記する）はパケット交換機３２ａとＴＤＭクロスコネクト交換機３４との間を流れる多重化ＴＤＭ信号９０から信号８０と８４を取り出し、その二つの信号を対応するＴＤＭ交換機３４とパケット交換機３２ｂ及び３２ｃとの間の多重化ＴＤＭ信号９２と９４とに切換える。同様に、ＴＤＭ交換機３４はパケット交換機３２ｂとＴＤＭ交換機３４との間を流れる多重化信号９２から信号８０と８２とを取り出し、その二つの信号を対応するＴＤＭ交換機３４とパケット交換機３２ａ及び３２ｃとの間の多重化ＴＤＭ信号９４と９０とに切換える。同様に、ＴＤＭ交換機３４はパケット交換機３２ｃとＴＤＭ交換機３４との間を流れる多重化ＴＤＭ信号９４から信号８２と８４とを取り出し、その二つの信号を対応するクロスコネクト交換機３４とパケット交換機３２ａ及び３２ｂとの間の多重化ＴＤＭ信号９０と９２とに切換える。ＴＤＭ交換機３４は図示していないが更に多数のＴＤＭポートを持っている。
【００１２】
図３はパケット交換を行えるように改良したＴＤＭ交換機１００を示す。図２に示したパケット交換機が三つの改良ＴＤＭ交換機にパケット交換ラインカード１０２ａ、ｂ及びｃとして組込まれており、これらのパケット交換ラインカードはそれぞれ図２のパケット交換機３２ａ、ｂ及びｃに対応している。ラインカード三つというのは例として挙げたものであり、本発明による改良ＴＤＭ交換機には二つあるいはそれ以上の数のパケットラインカードを内蔵させることもできる。回線は、標準規格の変更されていないＴＤＭ交換機構であるＴＤＭマトリックス機構１２４を介してパケットラインカード間に形成される。即ち、回線１１０がカード１０２ａと１０２ｂとの間に、回線１１２がカード１０２ｂと１０２ｃとの間に、回線１１４がカード１０２ｃと１０２ａとの間に形成される。すべての経路選択、搬送および管理タスクはＴＤＭセントラルカードと一緒に配置してもしなくてもよい一枚のセントラルカード上で行う。図３では、セントラルＴＤＭ−パケットカード１２０をＴＤＭとパケットタスクの両方のセントラルカードとして用い、このカード１２０は特に三つのパケット交換機（パケットラインカード（１０２ａ、ｂ、ｃ）のセントラルタスクを統合し、外観上は外部管理制御エンティティ（構成要素）が単一の交換機であるかのようになる。交換機１００は更に標準のＴＤＭアーキテクチャを有する複数のＴＤＭラインカード１２２を含んでいる。
上記の標準ＴＤＭアーキテクチャを有する交換機１００の主要な利点は、パケット交換機能を付け加えるために標準ＴＤＭスイッチ構成要素、例えばラインカード、スイッチングマトリックスなどの再設計を必要としないことである。パケット−パケット交換（図４）とサーキットエミュレイション−ＴＤＭ（図５）を含むこの追加機能は、「パケットラインカード」を付け加えることで得られる。この新しい機能は一般にもっぱらパケットラインカード内、或る場合にはセントラルカード内で得られる。
【００１３】
図４はＴＤＭマトリックス機構あるいはＴＤＭラインカードの動作を変更したりグレードアップすることなく、交換アーキテクチャ１００を使用してＴＤＭクロスコネクトシステム内でパケット交換を行う方法を示すフローチャートである。システムに電源投入後、回線形成ステップ１３０でセントラルＴＤＭ−パケットカード１２０がすべてのパケットラインカードを相互接続するＴＤＭ交換機構を通じて一組の回線を形成する。各対のパケットラインカードを接続する回線の信号伝送速度は各対のパケットラインカード内のポートの総合的な信号伝送速度で決まる。即ち、ＴＤＭ交換機構１２４がすべてのパケットをパケットラインカード間で確実に転送できるようにするためには、二つのパケットラインカードを接続する回線の信号伝送速度がどちらか一方のパケットラインカードのポートの総合的な信号伝送速度以下であってはならない。例えば、ＴＤＭ交換機構１２４を通じて回線が一対のラインカード、例えばカードＡとカードＢを接続しているとする。カードＡとＢの夫々のすべてのポートの総合的な信号伝送速度をＸとＹとすると、これらのカードを接続している回線の信号伝送速度はＭＩＮ（Ｘ、Ｙ）以上でなければならない。この信号伝送速度の選定はステップ１３２で行われる。要求通信品質（ＱｏＳ）の確保、例えば、遅延のない高速転送を確実にする必要がある場合には、ＱｏＳ回線形成ステップ１３４で必要に応じて特別な回線をパケットラインカード間に形成できる。このようにすれば、通常のトラフィックが急増してもより高い優先順位のトラフィックを遅らせたり欠落させたりすることはない。と言うのは各クラスのトラフィックはそれぞれ別の回線を流れるからである。次に、パケットラインカードの一方（入側）で受信されたパケットは処理され転送決定ステップ１３６で転送される。転送決定は出側ポートと出側パケットラインカードで行われる。転送決定に応じて、パケットをパケット送出ステップ１３８において入側パケットラインカードを出側パケットラインカードに接続している回線上に出力情報附加ステップ１４０で送出する。この場合、出側（出力）ポート情報を必要に応じて転送パケットに与えて出側パケットラインカードでさらに転送決定をする必要を省くことが好ましい。パケットラインカード間に高優先順位の回線が設定されると、パケットを高ＱｏＳ順位回線か通常の回線を介して送るかを決めるために転送決定を回線選択ステップ１４２で行わなければならない。出側パケットラインカードにおいてパケットはパケット取り出しステップ１４４で回線から取り出され出側ポートで転送のための待ち行列に入れられる。
【００１４】
更に、本発明のシステムではＴＤＭ信号をパケットネットワーク上で伝送する「サーキットエミュレイション」と呼ばれる新しい技術の導入が可能である。これは前述の「サーキットエミュレイション−時分割多重化」技術である。基本的には、ＴＤＭ信号はパケットネットワークの一端（エッジ）（図示せず）で入側パケット化装置により細分化されてパケットに入れられパケットネットワークの他の遠隔端（エッジ）（図示せず）に送られ、ＴＤＭ信号は出側パケット化装置によりパケットストリームから取り出され、あたかも転送元のＴＤＭ回線と直接接続されているかのように転送先のＴＤＭ回線上に再び送り出される。出側パケット化装置の動作は脱パケット化と呼ばれる。パケット交換ラインカードがＴＤＭ信号のサーキットエミュレイションパケット化オペレーションを行う通常の一連のステップを図５に示す。
【００１５】
図５はＴＤＭ交換アーキテクチャ１００を使ってサーキットエミュレイションを行う方法のステップを示す。ＴＤＭ回線を回線設定ステップ１５０でＴＤＭラインカードとパケットラインカードとの間に形成する。ＴＤＭ信号を搬送するパケットが入側パケットラインカードで受信されると、パケット化装置に送られて脱パケット化ステップ１５２でＴＤＭ信号が取り出されＴＤＭマトリックス機構でＴＤＭ回線に乗せられる。ＴＤＭマトリックス機構は切換えステップ１５４でＴＤＭ回線を出側ＴＤＭラインカードに切換える。出側ＴＤＭラインカードはＴＤＭスイッチングマトリックスからデータを取り出し、送出ステップ１５６でそのデータをＴＤＭポートを介して送り出す。ＴＤＭ交換機構のポートと機能は変更されない。この新しい機能（パケット交換とＴＤＭパケット化）を実行するパケットラインカードのみをグレードアップする必要がある。
【００１６】
本明細書で言及したすべての刊行物、特許および特許明細書は、それらがあたかも特別にかつ個別に言及されていると同じようにここに記載されている。更に、本明細書における参考のための引用は本発明に対する先行技術として認めるものと解釈すべきではない。
本発明を限られた数の実施例について説明したが、本発明は多くの変形、変更そして他の応用が可能であることが分かるであろう。
【図面の簡単な説明】
【００１７】
【図１】一般的な通常のパケット交換アーキテクチャを示す構成図である。
【図２】ＴＤＭクロスコネクト交換機を介して相互接続した三つのパケット交換機を示す内部構成図である。
【図３】パケット交換をするように改良されたＴＤＭクロスコネクト交換機のアーキテクチャを示す内部構成図である。
【図４】図３に示すアーキテクチャを使用する方法のステップを示すフローチャートである。
【図５】サーキットエミュレイションのために改良されたＴＤＭクロスコネクトの使用を示すフローチャートである。
【符号の説明】
【００１８】
１２  ラインカード、１４  セントラルカード、１６  交換機構、３０  ネットワーク、３２ａ、３２ｂ、３２ｃ  パケット交換機、３４  ＴＤＭクロスコネクト交換機、４０、４２、４４、４６、５０、５２、５４、５６、６０、６２、６４、６６  ポート、８０、８２、８４  回線（信号）、９０、９２、９４  多重化ＴＤＭ信号、１００  ＴＤＭ交換機（ＴＤＭ交換アーキテクチャ）、１０２ａ、１０２ｂ、１０２ｃ  パケットラインカード、１１０、１１２、１１４  回線、１２０  セントラルＴＤＭ−パケットカード、１２２  ＴＤＭラインカード、１２４  ＴＤＭ交換機構（ＴＤＭマトリックス機構）。
【図１】
2005520375.tif 000003
【図２】
2005520375.tif 000004
【図３】
2005520375.tif 000005
【図４】
2005520375.tif 000006
【図５】
2005520375.tif 000007
【国際調査報告】
2005520375.tif 000008
2005520375.tif 000009